(57)【要約】【課題】組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とする。【解決手段】レンズ枠１４０の内面１４１に囲まれた内部に支持された、内壁１３１に囲まれた内部に、４つのレンズ１１１，１１２，１１３，１１４および３つの間隔環１２１，１２２，１２３を周回方向全周にわたって保持するレンズ保持部材１３０が、４つのレンズ１１１，１１２，１１３，１１４およびレンズ枠１４０双方の硬度よりも低い硬度を有する樹脂製部材である。【選択図】        図３
2012002947.tif 000002
【特許請求の範囲】
【請求項１】
複数のレンズと、
光軸方向前端部と後端部との双方に開口して内壁と外壁とを有し、該内壁に囲まれた内部に前記複数のレンズを保持するレンズ保持部材と、
光軸方向前端部と後端部との双方に開口した中空形状であって、内面と、外面と、前記複数のレンズのうちの最後端側に配備される後端側レンズの後端側の面の周縁部分を押さえる後端側レンズ押さえ部とを有し、該内面に囲まれた内部に前記レンズ保持部材を支持するレンズ枠と、
前記レンズ枠に支持され、該レンズ枠に支持された前記レンズ保持部材に保持された前記複数のレンズのうちの最前端側に配備される前端側レンズの前端側の面の周縁部分を押さえる押さえ環とを備え、
前記レンズ保持部材が、前記複数のレンズおよび前記レンズ枠双方の硬度よりも低い硬度を有するものであることを特徴とするレンズ鏡胴。
【請求項２】
複数のレンズと、
光軸方向前端部と後端部との双方に開口し、内壁と、外壁と、前記複数のレンズのうちの最前端側に配備される前端側レンズの前端側レンズの前端側の面の周縁部分を覆う前端側レンズ覆い部とを有し、該内壁に囲まれた内部に前記複数のレンズを保持するレンズ保持部材と、
光軸方向両端に開口した中空形状であって、内面と、外面と、前記複数のレンズのうちの最後端側に配備される後端側レンズの後端側の面の周縁部分を押さえる後端側レンズ押さえ部とを有し、該内面に囲まれた内部に前記レンズ保持部材を支持するレンズ枠と、
前記レンズ枠に支持され、該レンズ枠に支持された前記レンズ保持部材に保持された前記複数のレンズのうちの最前端側に配備される前端側レンズの前端側の面の周縁部分を、前記レンズ保持部材の前端側レンズ覆い部を介在させた状態で押さえる押さえ環とを備え、
前記レンズ保持部材が、前記複数のレンズおよび前記レンズ枠双方の硬度よりも低い硬度を有するものであることを特徴とするレンズ鏡胴。
【請求項３】
前記レンズ枠が、セラミック製であることを特徴とする請求項１または２記載のレンズ鏡胴。
【請求項４】
前記レンズ保持部材の光軸方向前端又は後端に隣接した位置に、該レンズ保持部材の光軸方向への伸縮を許容する隙間が形成されていることを特徴とする請求項１から３のうちのいずれか１記載のレンズ鏡胴。
【請求項５】
前記レンズ保持部材が、樹脂製部材であることを特徴とする請求項１から４のうちのいずれか１項記載のレンズ鏡胴。
【請求項６】
前記複数のレンズにおける隣接するレンズ間に配置されて該複数のレンズとともに前記レンズ保持部材に保持された間隔環をさらに備えたことを特徴とする請求項１から５のうちのいずれか１項記載のレンズ鏡胴。
【請求項７】
前記レンズ保持部材が、前記複数のレンズを周回方向全周にわたって保持するものであることを特徴とする請求項１から６のうちのいずれか１項記載のレンズ鏡胴。
【請求項８】
前記レンズ保持部材が、前端側に一周にわたって連続する筒部と、後端側が周回方向に断続し光軸方向に延在した少なくとも３本の延在部とを有し、前記複数のレンズのうちの少なくとも一部のレンズは前記延在部に保持されたものであることを特徴とする請求項１から７のうちのいずれか１項記載のレンズ鏡胴。
【請求項９】
前記レンズ枠が、該レンズ枠内面に、光軸方向に延び周回方向に交互に形成された、前記レンズ保持部材の前記延在部を収容する凹溝と、該凹溝同士の間に形成された突条とを有するものであることを特徴とする請求項８項記載のレンズ鏡胴。
【請求項１０】
光軸方向前端部と後端部との双方に開口して内壁と外壁とを有するレンズ保持部材の該内壁に囲まれた内部に複数のレンズを保持させ、
光軸方向前端部と後端部との双方に開口した中空形状であって、内面と、外面と、前記複数のレンズのうちの最後端側に配備される後端側レンズの後端側の面の周縁部分を押さえる後端側レンズ押さえ部とを有するレンズ枠内に、該複数のレンズを保持させた状態のレンズ保持部材を挿入し、
前記レンズ枠内に挿入された前記レンズ保持部材に保持された前記複数のレンズのうちの最前端側に配備される前端側レンズの前端側の面の周縁部分を押さえる押さえ環を前記レンズ枠に取り付けることを特徴とするレンズ鏡胴組立方法。
【請求項１１】
光軸方向前端部と後端部との双方に開口した中空形状であって、内面と、外面と、複数のレンズのうちの最後端側に配備される後端側レンズの後端側の面の周縁部分を押さえる後端側レンズ押さえ部とを有するレンズ枠内に、光軸方向前端部と後端部との双方に開口して内壁と外壁とを有するレンズ保持部材を挿入し、
前記レンズ枠内に挿入された状態の前記レンズ保持部材の前記内壁に囲まれた内部に前記複数のレンズを保持させ、
前記レンズ枠内に挿入された前記レンズ保持部材に保持された前記複数のレンズのうちの最前端側に配備される前端側レンズの前端側の面の周縁部分を押さえる押さえ環を前記レンズ枠に取り付けることを特徴とするレンズ鏡胴組立方法。
【請求項１２】
光軸方向前端部と後端部との双方に開口し、内壁と、外壁と、複数のレンズのうちの最前端側に配備される前端側レンズの前端側の面の周縁部分を覆う前端側レンズ覆い部とを有するレンズ保持部材の該内壁に囲まれた内部に前記複数のレンズを保持させ、
光軸方向両端に開口した中空形状であって、内面と、外面と、前記複数のレンズのうちの最後端側に配備される後端側レンズの後端側の面の周縁部分を押さえる後端側レンズ押さえ部とを有するレンズ枠内に、該複数のレンズを保持させた状態のレンズ保持部材を挿入し、
前記レンズ枠内に挿入された前記レンズ保持部材に保持された前記複数のレンズのうちの最前端側に配備された前端側レンズの前端側の面の周縁部分を、前記レンズ保持部材の前端側レンズ覆い部を介在させた状態で押さえる押さえ環を前記レンズ枠に取り付けることを特徴とするレンズ鏡胴組立方法。
【発明の詳細な説明】
【技術分野】
【０００１】
本発明は、レンズ鏡胴およびレンズ鏡胴組立方法に関する。
【背景技術】
【０００２】
従来より、カメラ付き携帯電話のカメラや車載用カメラなどには、一般に、レンズ枠に複数のレンズが収容されたレンズ鏡胴が用いられている。このレンズ鏡胴が搭載された機器は、温度や湿度が変化する環境で使用されることが多い。例えば車載用カメラは、高温下にさらされたり低温下にさらされたりする。そのため、このレンズ鏡胴は、非常に高い信頼性、すなわち、高温・低温、温度ショックなど、厳しい環境条件下での性能安定性や耐久性が必要とされている。
【０００３】
このようなレンズ鏡胴として、鏡筒内周面にある支持部とレンズの外周部との間にはんだを介在させ、鏡筒内を密封させる技術が提案されている（例えば、特許文献１参照。）。
【０００４】
また、このようなレンズ鏡胴として、鏡筒内周面の長手方向に所定間隔をおいて設けた支持部とレンズの外周部とを、酸素の共有結合により直接接合させる技術が提案されている（例えば、特許文献２参照。）。
【０００５】
また、近年、このようなレンズ鏡胴として、不要な光を遮光することができるとともに、通気性を有し、温度変化や湿度変化の影響をほとんど受けることのない、セラミック製のレンズ枠が注目を受けてきている（例えば、特許文献１，２，３参照。）。
【０００６】
また、所定の口径をなす開口絞りを画定するとともに、鏡筒の内周面に嵌入されかつ２つのレンズ間に介在させられて光軸方向の間隔を規定する環状スペーサを備えたレンズ鏡胴が提案されている（例えば、特許文献４参照。）。
【先行技術文献】
【特許文献】
【０００７】
【特許文献１】特開２００６−２８４９９１号公報
【特許文献２】特開２００６−２９２９２７号公報
【特許文献３】特開２００７−２３８４３０号公報
【特許文献４】特開２００７−２７９５５７号公報
【発明の概要】
【発明が解決しようとする課題】
【０００８】
レンズ枠に複数のレンズが収容されたレンズ鏡胴におけるレンズ外径とレンズ枠内径との間は、組立後にレンズの軸ズレなどによる光学性能の低下を起さないよう、一般に、２０μｍ以下のクリアランスとなるように公差管理されている。
【０００９】
例えば、レンズがガラス製でありレンズ枠がセラミック製である場合には、レンズをレンズ枠に組み込む際に、芯がずれたり傾いたりした姿勢でレンズが挿入されることに起因して、両者が擦れるおそれがある。そして、レンズ外径とレンズ枠内径との間のクリアランスが２０μｍ以下となるように公差管理されていることを考慮すると、そのような擦れを回避することは極めて困難である。ガラス製のレンズとセラミック製のレンズ枠は、双方ともに硬い材料であるため、両者が擦れると削れカスが発生し、組み立てられたレンズ鏡胴において、削れカスが光学性能に悪影響を与えることとなる。
【００１０】
本発明は、上記事情に鑑み、組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とするものである。
【課題を解決するための手段】
【００１１】
上記目的を達成する本発明のレンズ鏡胴のうちの第１のレンズ鏡胴は、
複数のレンズと、
光軸方向前端部と後端部との双方に開口して内壁と外壁とを有し、この内壁に囲まれた内部に上記複数のレンズを保持するレンズ保持部材と、
光軸方向前端部と後端部との双方に開口した中空形状であって、内面と、外面と、上記複数のレンズのうちの最後端側に配備される後端側レンズの後端側の面の周縁部分を押さえる後端側レンズ押さえ部とを有し、この内面に囲まれた内部に上記レンズ保持部材を支持するレンズ枠と、
上記レンズ枠に支持され、このレンズ枠に支持された上記レンズ保持部材に保持された上記複数のレンズのうちの最前端側に配備される前端側レンズの前端側の面の周縁部分を押さえる押さえ環とを備え、
上記レンズ保持部材が、上記複数のレンズおよび上記レンズ枠双方の硬度よりも低い硬度を有するものであることを特徴とする。
【００１２】
ここで、本発明における光軸方向前端および後端は、光軸方向両端の一方と他方を区別するものである。つまり、前端側および後端側は、被写体側および結像側にそれぞれ対応する場合と、この逆に、結像側および被写体側にそれぞれ対応する場合との双方を含む意味である。
【００１３】
本発明のレンズ鏡胴のうちの第１のレンズ鏡胴は、レンズ枠の内面に囲まれた内部に支持された、内壁に囲まれた内部に複数のレンズを保持するレンズ保持部材が、複数のレンズおよびレンズ枠双方の硬度よりも低い硬度を有するものである。従って、この第１のレンズ鏡胴によれば、このレンズ鏡胴の組み立て時において、複数のレンズとレンズ枠とが擦れることがなく、両者が擦れて削れカスが発生することが回避される。このため、削れカスに起因して光学性能が悪化することが防止される。
【００１４】
また、上記目的を達成する本発明のレンズ鏡胴のうちの第２のレンズ鏡胴は、
複数のレンズと、
光軸方向前端部と後端部との双方に開口し、内壁と、外壁と、上記複数のレンズのうちの最前端側に配備される前端側レンズの前端側レンズの前端側の面の周縁部分を覆う前端側レンズ覆い部とを有し、この内壁に囲まれた内部に上記複数のレンズを保持するレンズ保持部材と、
光軸方向両端に開口した中空形状であって、内面と、外面と、上記複数のレンズのうちの最後端側に配備される後端側レンズの後端側の面の周縁部分を押さえる後端側レンズ押さえ部とを有し、この内面に囲まれた内部に上記レンズ保持部材を支持するレンズ枠と、
上記レンズ枠に支持され、このレンズ枠に支持された上記レンズ保持部材に保持された上記複数のレンズのうちの最前端側に配備される前端側レンズの前端側の面の周縁部分を、上記レンズ保持部材の前端側レンズ覆い部を介在させた状態で押さえる押さえ環とを備え、
上記レンズ保持部材が、上記複数のレンズおよび上記レンズ枠双方の硬度よりも低い硬度を有するものであることを特徴とする。
【００１５】
本発明のレンズ鏡胴のうちの第２のレンズ鏡胴は、上述した第１のレンズ鏡胴と同様に、レンズ枠の内面に囲まれた内部に支持された、内壁に囲まれた内部に複数のレンズを保持するレンズ保持部材が、複数のレンズおよびレンズ枠双方の硬度よりも低い硬度を有するものである。従って、この第２のレンズ鏡胴によっても、このレンズ鏡胴の組み立て時において、複数のレンズとレンズ枠とが擦れることがなく、両者が擦れて削れカスが発生することが回避される。このため、削れカスに起因して光学性能が悪化することが防止される。
【００１６】
また、この第２のレンズ鏡胴によれば、このレンズ鏡胴の組み立て時において、押さえ環をレンズ枠に取り付けるときに前端側レンズが供回りして隣接するレンズあるいはレンズとの間の介在部材（間隔環等）と擦れて傷付くことが防止される。
【００１７】
ここで、本発明のレンズ鏡胴は、上記レンズ枠が、セラミック製であることが好ましい。
【００１８】
このような好ましい形態によれば、削れカスに起因して光学性能が悪化することが防止されるとともに、レンズ枠が受ける温度変化や湿度変化の影響が抑えられる。
【００１９】
また、本発明のレンズ鏡胴は、上記レンズ保持部材の光軸方向前端又は後端に隣接した位置に、そのレンズ保持部材の光軸方向への伸縮を許容する隙間が形成されていることが好ましい。
【００２０】
このような好ましい形態によれば、周囲の温度変化を受けてレンズ保持部材が膨張したとしても、その隙間で吸収される。
【００２１】
また、本発明のレンズ鏡胴は、上記レンズ保持部材が、樹脂製部材であることも好ましい形態である。
【００２２】
このような好ましい形態によれば、削れカスの発生を回避する効果が大きい。
【００２３】
また、本発明のレンズ鏡胴は、上記複数のレンズにおける隣接するレンズ間に配置されてそれら複数のレンズとともに上記レンズ保持部材に保持された間隔環をさらに備えたことも好ましい形態である。
【００２４】
このような好ましい形態によれば、複数のレンズそれぞれの光軸方向の位置が確実に決められる。
【００２５】
また、本発明のレンズ鏡胴は、上記レンズ保持部材が、上記複数のレンズを周回方向全周にわたって保持するものであることも好ましい形態である。
【００２６】
このような好ましい形態によれば、レンズ保持部材の内壁に囲まれた内部に複数のレンズを確実に保持させることができる。
【００２７】
また、本発明のレンズ鏡胴は、上記レンズ保持部材が、前端側に一周にわたって連続する筒部と、後端側が周回方向に断続し光軸方向に延在した少なくとも３本の延在部とを有し、上記複数のレンズのうちの少なくとも一部のレンズは上記延在部に保持されたものであることも好ましい形態である。
【００２８】
このような好ましい形態によれば、レンズ鏡胴の組み立て時において、レンズ保持部材の内壁に囲まれた内部に複数のレンズを保持させたり、レンズ枠内にレンズ保持部材を挿入したりするときの作業性に優れる。
【００２９】
さらに、本発明のレンズ鏡胴のうちの上記レンズ保持部材が上記筒部と上記延在部とを有するレンズ鏡胴は、上記レンズ枠が、そのレンズ枠内面に、光軸方向に延び周回方向に交互に形成された、上記レンズ保持部材の上記延在部を収容する凹溝と、その凹溝同士の間に形成された突条とを有するものであるという形態も好ましい。
【００３０】
このような好ましい形態によれば、複数のレンズが確実に保持される。
【００３１】
また、上記目的を達成する本発明のレンズ鏡胴組立方法のうちの第１のレンズ鏡胴組立方法は、
光軸方向前端部と後端部との双方に開口して内壁と外壁とを有するレンズ保持部材のこの内壁に囲まれた内部に複数のレンズを保持させ、
光軸方向前端部と後端部との双方に開口した中空形状であって、内面と、外面と、上記複数のレンズのうちの最後端側に配備される後端側レンズの後端側の面の周縁部分を押さえる後端側レンズ押さえ部とを有するレンズ枠内に、この複数のレンズを保持させた状態のレンズ保持部材を挿入し、
上記レンズ枠内に挿入された上記レンズ保持部材に保持された上記複数のレンズのうちの最前端側に配備される前端側レンズの前端側の面の周縁部分を押さえる押さえ環を上記レンズ枠に取り付けることを特徴とする。
【００３２】
本発明のレンズ鏡胴組立方法のうちの第１のレンズ鏡胴組立方法によれば、レンズ保持部材として複数のレンズおよびレンズ枠双方の硬度よりも低い硬度を有するものを用いることにより、複数のレンズとレンズ枠とが擦れることがなく、両者が擦れて削れカスが発生することが回避される。このため、組み立てられたレンズ鏡胴において、削れカスに起因して光学性能が悪化することが防止される。また、この第１のレンズ鏡胴組立方法は、複数のレンズを保持させた状態のレンズ保持部材をレンズ枠内に挿入する組立方法であるため、組立性に優れるとともに、傾いた姿勢でレンズが挿入されることによる擦れが回避される。
【００３３】
また、上記目的を達成する本発明のレンズ鏡胴組立方法のうちの第２のレンズ鏡胴組立方法は、
光軸方向前端部と後端部との双方に開口した中空形状であって、内面と、外面と、複数のレンズのうちの最後端側に配備される後端側レンズの後端側の面の周縁部分を押さえる後端側レンズ押さえ部とを有するレンズ枠内に、光軸方向前端部と後端部との双方に開口して内壁と外壁とを有するレンズ保持部材を挿入し、
上記レンズ枠内に挿入された状態の上記レンズ保持部材の上記内壁に囲まれた内部に上記複数のレンズを保持させ、
上記レンズ枠内に挿入された上記レンズ保持部材に保持された上記複数のレンズのうちの最前端側に配備される前端側レンズの前端側の面の周縁部分を押さえる押さえ環を上記レンズ枠に取り付けることを特徴とする。
【００３４】
本発明のレンズ鏡胴組立方法のうちの第２のレンズ鏡胴組立方法によれば、レンズ保持部材として複数のレンズおよびレンズ枠双方の硬度よりも低い硬度を有するものを用いることにより、複数のレンズとレンズ枠とが擦れることがなく、両者が擦れて削れカスが発生することが回避される。このため、組み立てられたレンズ鏡胴において、削れカスに起因して光学性能が悪化することが防止される。
【００３５】
また、上記目的を達成する本発明のレンズ鏡胴組立方法のうちの第３のレンズ鏡胴組立方法は、
光軸方向前端部と後端部との双方に開口し、内壁と、外壁と、複数のレンズのうちの最前端側に配備される前端側レンズの前端側の面の周縁部分を覆う前端側レンズ覆い部とを有するレンズ保持部材のこの内壁に囲まれた内部に上記複数のレンズを保持させ、
光軸方向両端に開口した中空形状であって、内面と、外面と、上記複数のレンズのうちの最後端側に配備される後端側レンズの後端側の面の周縁部分を押さえる後端側レンズ押さえ部とを有するレンズ枠内に、この複数のレンズを保持させた状態のレンズ保持部材を挿入し、
上記レンズ枠内に挿入された上記レンズ保持部材に保持された上記複数のレンズのうちの最前端側に配備された前端側レンズの前端側の面の周縁部分を、上記レンズ保持部材
の前端側レンズ覆い部を介在させた状態で押さえる押さえ環を上記レンズ枠に取り付けることを特徴とする。
【００３６】
本発明のレンズ鏡胴組立方法のうちの第３のレンズ鏡胴組立方法によれば、レンズ保持部材として複数のレンズおよびレンズ枠双方の硬度よりも低い硬度を有するものを用いることにより、複数のレンズとレンズ枠とが擦れることがなく、両者が擦れて削れカスが発生することが回避される。このため、組み立てられたレンズ鏡胴において、削れカスに起因して光学性能が悪化することが防止される。また、押さえ環をレンズ枠に取り付けるときに前端側レンズが供回りして隣接するレンズあるいはレンズとの間の介在部材（間隔環等）と擦れて傷付くことが防止される。さらに、この第３のレンズ鏡胴組立方法は、複数のレンズを保持させた状態のレンズ保持部材をレンズ枠内に挿入する組立方法であるため、組立性に優れるとともに、傾いた姿勢でレンズが挿入されることによる擦れが回避される。
【発明の効果】
【００３７】
本発明によれば、組み立て時に削れカスが発生することが回避され、組み立てられたレンズ鏡胴において、削れカスに起因して光学性能が悪化することが防止されたレンズ鏡胴およびレンズ鏡胴組立方法が提供される。
【図面の簡単な説明】
【００３８】
【図１】本発明のレンズ鏡胴の第１実施形態であるレンズ鏡胴を被写体側斜め上から見て示した斜視図である。
【図２】図１に示すレンズ鏡胴の分解斜視図である。
【図３】図１に示すレンズ鏡胴の光軸方向と平行な縦断面図である。
【図４】本発明のレンズ鏡胴の第２実施形態であるレンズ鏡胴を被写体側斜め上から見て示した斜視図である。
【図５】図４に示すレンズ鏡胴の光軸方向と平行な縦断面図である。
【図６】図４に示すレンズ鏡胴の光軸方向と直角な縦断面図である。
【図７】本発明のレンズ鏡胴の第３実施形態であるレンズ鏡胴の光軸方向と平行な縦断面図である。
【発明を実施するための形態】
【００３９】
以下、図面を参照して本発明の実施の形態を説明する。
【００４０】
図１は、本発明のレンズ鏡胴の第１実施形態であるレンズ鏡胴１００を被写体側斜め上から見て示した斜視図である。また、図２は、図１に示すレンズ鏡胴１００の分解斜視図であり、図３は、図１に示すレンズ鏡胴１００の光軸方向と平行な縦断面図である。
【００４１】
図１〜図３に示すように、第１実施形態のレンズ鏡胴１００は、４つのレンズ１１１，１１２，１１３，１１４と、３つの間隔環１２１，１２２，１２３と、レンズ保持部材１３０と、レンズ枠１４０と、押さえ環１５０とを備えている。
【００４２】
４つのレンズ１１１，１１２，１１３，１１４は、ぞれぞれガラス製のレンズであって、結像側から第１レンズ１１１、第２レンズ１１２、第３レンズ１１３、第４レンズ１１４の順に、光軸が重なるよう配置されている。各レンズ１１１，１１２，１１３，１１４は円盤形であり、外径（側面）は研磨されておらず、＃１０００以下のスリ面とされている。側面がスリ面であることによってゴーストなどの悪影響が抑えられる。側面のスリ面は、加工の容易さから＃３００以下であることが好ましい。これら４つのレンズ１１１，１１２，１１３，１１４が、本発明にいう複数のレンズの一例に相当するものである。また、被写体側が本発明にいう光軸方向前端側の一例に相当し、結像側が本発明にいう光軸方向後端側の一例に相当する。また、これら４つのレンズ１１１，１１２，１１３，１１４のうちの第１レンズ１１１が、本発明にいう後端側レンズの一例に相当するものであり、第４レンズ１１４が、本発明にいう前端側レンズの一例に相当するものである。
【００４３】
３つの間隔環１２１，１２２，１２３は、４つのレンズ１１１，１１２，１１３，１１４における隣接するレンズ間に配置されている。すなわち、第１レンズ１１１と第２レンズ１１２との間に第１間隔環１２１が配置され、第２レンズ１１２と第３レンズ１１３との間に第２間隔環１２２が配置され、第３レンズ１１３と第４レンズ１１４との間に第３間隔環１２３が配置されている。これら３つの間隔環１２１，１２２，１２３のそれぞれが、本発明にいう間隔環の一例に相当するものである。
【００４４】
レンズ保持部材１３０は、４つのレンズ１１１，１１２，１１３，１１４およびレンズ枠１４０双方の硬度よりも低い硬度を有する樹脂製部材である。また、このレンズ保持部材１３０は、円筒状であり、光軸方向である矢印Ａ方向両端に開口して内壁１３１と外壁１３２とを有する。このようなレンズ保持部材１３０は、内壁１３１に囲まれた内部に、４つのレンズ１１１，１１２，１１３，１１４および３つの間隔環１２１，１２２，１２３を周回方向全周にわたって保持している。また、レンズ保持部材１３０の矢印Ａ方向全長は、重ねて配置された４つのレンズ１１１，１１２，１１３，１１４および３つの間隔環１２１，１２２，１２３の厚みよりも短い。従って、図３に示すように、レンズ保持部材１３０の光軸方向である矢印Ａ方向前端１３３に隣接した位置に、レンズ保持部材１３０の矢印Ａ方向への伸縮を許容する隙間が形成されている。そのため、周囲の温度変化を受けてレンズ保持部材１３０が膨張したとしても、その隙間で吸収される。このようなレンズ保持部材１３０は、例えば２ｍｍ以下、好ましくは１ｍｍ以下の厚さを有する。このレンズ保持部材１３０が、本発明にいうレンズ保持部材の一例に相当するものである。
【００４５】
レンズ枠１４０は、４つのレンズ１１１，１１２，１１３，１１４の硬度よりも高い硬度を有する多孔質のセラミック製部材である。また、このレンズ枠１４０は、光軸方向である矢印Ａ方向両端に開口した中空形状であって、内面１４１と、外面１４２とを有する。また、このレンズ枠１４０は、４つのレンズ１１１，１１２，１１３，１１４のうちの最結像側に配備される第１レンズ１１１の結像側の面の周縁部分１１１１を押さえる結像側レンズ押さえ部１４３を有する。このようなレンズ枠１４０は、内面１４１に囲まれた内部にレンズ保持部材１３０を支持している。このレンズ枠１４０が、本発明にいうレンズ枠の一例に相当するものである。尚、すでに説明した間隔環１２１，１２２，１２３には、レンズ枠２４０と同様にセラミック製の部材が採用可能であり、また、樹脂やガラスも採用可能である。
【００４６】
押さえ環１５０は、例えばレンズ枠１４０と同じ材質であるセラミック製部材であり、概略筒状であり、一方の開口端は筒の中央に向かって張り出した形状を有している。また、この押さえ環１５０は、レンズ枠１４０に支持されている。より詳細には、押さえ環１５０はレンズ枠１４０の被写体側の端に被さり、レンズ枠１４０に固定されている。尚、押さえ環１５０のレンズ枠１４０への固定は、接着固定であってもよく、あるいは、押さえ環１５０の内周およびレンズ枠１４０の外面１４２にねじ山を設けてなるねじ止め固定であってもよい。また、この押さえ環１５０は、レンズ枠１４０に支持されたレンズ保持部材１３０に保持された４つのレンズ１１１，１１２，１１３，１１４のうちの最被写体側に配備される第４レンズ１１４の被写体側の面の周縁部分１１４１を押さえている。つまり、４つのレンズ１１１，１１２，１１３，１１４および３つの間隔環１２１，１２２，１２３は、レンズ枠１４０の結像側レンズ押さえ部１４３と押さえ環１５０との間に挟み付けられている。この押さえ環１５０が、本発明にいう押さえ環の一例に相当するものである。
【００４７】
このように構成されたレンズ鏡胴１００では、レンズ枠１４０内に収容された４つのレンズ１１１，１１２，１１３，１１４の、光軸方向である矢印Ａ方向の位置が、結像側レンズ押さえ部１４３、３つの間隔環１２１，１２２，１２３、および押さえ環１５０によって決められている。
【００４８】
ここで、レンズ１１１，１１２，１１３，１１４、レンズ保持部材１３０、レンズ枠１４０、および押さえ環１５０の硬度についてより詳細に説明する。レンズ１１１，１１２，１１３，１１４の硬度とレンズ保持部材１３０の硬度との間には、ビッカース硬度（ＨＶ）２００以上の硬度差があり、レンズ枠１４０および押さえ環１５０の硬度とレンズ保持部材１３０の硬度との間にはＨＶ２００以上の硬度差がある。より詳細には、レンズ１１１，１１２，１１３，１１４はガラス製であり、硬度はＨＶ３００以上８００以下である。また、レンズ枠１４０および押さえ環１５０はセラミック製であり、硬度はＨＶ２６００以下である。レンズ枠１４０および押さえ環１５０の硬度は耐衝撃性の観点からＨＶ５００以上２６００以下であることが好ましい。また、レンズ保持部材１３０の硬度は、ＨＶ１００以下である。また、レンズ保持部材１３０の引張り弾性係数は１００ＧＰａ以下、更に好ましくは１０ＧＰａ以下である。レンズ保持部材１３０の硬度は、レンズ１１１，１１２，１１３，１１４の硬度との差およびレンズ枠１４０の硬度との差を高めるため、ＨＶ４０以下であることが好ましい。レンズ保持部材１３０は、材料として樹脂を採用することにより、硬度がＨＶ４０以下であり、引張り弾性係数が１０ＧＰａ以下である。尚、ここでは、ビッカース硬度（ＨＶ）の数値によって硬度を表しているが、この数値は、ヌープ硬さ（Ｈｋ）においてもほぼ同等である。
【００４９】
このように構成されたレンズ鏡胴１００において、４つのレンズ１１１，１１２，１１３，１１４それぞれの外径とレンズ保持部材１３０の内壁１３１との間、およびレンズ保持部材１３０の外壁１３２とレンズ枠１４０の内面１４１との間は、レンズの軸ズレなどによる光学性能の低下を起さないよう、例えば５μｍ以上２０μｍ以下のクリアランス、好ましくは１０μｍ以下のクリアランスとなるように公差管理されている。
【００５０】
第１実施形態のレンズ鏡胴１００は、レンズ枠１４０の内面１４１に囲まれた内部に支持された、内壁１３１に囲まれた内部に、４つのレンズ１１１，１１２，１１３，１１４および３つの間隔環１２１，１２２，１２３を周回方向全周にわたって保持するレンズ保持部材１３０が、４つのレンズ１１１，１１２，１１３，１１４およびレンズ枠１４０双方の硬度よりも低い硬度を有する樹脂製部材である。従って、第１実施形態のレンズ鏡胴１００によれば、このレンズ鏡胴１００の組み立て時において、４つのレンズ１１１，１１２，１１３，１１４および３つの間隔環１２１，１２２，１２３とレンズ枠１４０とが擦れることがなく、両者が擦れて削れカスが発生することが回避される。このため、削れカスに起因して光学性能が悪化することが防止される。尚、レンズ鏡胴１００の組立方法については後述する。
【００５１】
以上で、本発明のレンズ鏡胴の第１実施形態の説明を終了し、本発明のレンズ鏡胴の第２実施形態について説明する。
【００５２】
尚、以下説明する第２実施形態は、レンズ保持部材およびレンズ枠が上述した第１実施形態とは異なる。
【００５３】
以下、第１実施形態における要素と同じ要素については同じ符号を付して説明を省略し、第１実施形態との相違点についてのみ説明する。
【００５４】
図４は、本発明のレンズ鏡胴の第２実施形態であるレンズ鏡胴２００を被写体側斜め上から見て示した斜視図である。また、図５は、図４に示すレンズ鏡胴２００の光軸方向と平行な縦断面図であり、図６は、図４に示すレンズ鏡胴２００の光軸方向と直角な縦断面図である。
【００５５】
図４〜図６に示すように、第２実施形態のレンズ鏡胴２００は、４つのレンズ１１１，１１２，１１３，１１４と、３つの間隔環１２１，１２２，１２３と、レンズ保持部材２３０と、レンズ枠２４０と、押さえ環１５０とを備えている。
【００５６】
レンズ保持部材２３０は、４つのレンズ１１１，１１２，１１３，１１４およびレンズ枠２４０双方の硬度よりも低い硬度を有する樹脂製部材である。また、このレンズ保持部材２３０は、光軸方向である矢印Ａ方向両端に開口して内壁２３１と外壁２３２とを有する。また、このレンズ保持部材２３０は、円筒状の筒部２３３と、筒部２３３の３箇所から光軸方向である矢印Ａ方向に並んで延在した３本の延在部２３４とを有する。また、このレンズ保持部材２３０は、筒部２３３を被写体側に向け、延在部２３４を結像側に向けて配置されている。つまり、このレンズ保持部材２３０は、被写体側が一周にわたって連続し、結像側が筒部２３３の周回方向に断続した形状を有している。尚、このレンズ保持部材２３０は、第１実施形態における円筒状のレンズ保持部材１３０に対し切り欠きを有する形状ということもできる。このようなレンズ保持部材２３０において、４つのレンズ１１１，１１２，１１３，１１４および３つの間隔環１２１，１２２，１２３のうちの、結像側寄りの第１レンズ１１１、第１間隔環１２１、第２レンズ１１２、第２間隔環１２２、および第３レンズ１１３は、延在部２３４における内壁２３１に囲まれた内部に保持されている。また、このようなレンズ保持部材２３０において、４つのレンズ１１１，１１２，１１３，１１４および３つの間隔環１２１，１２２，１２３のうちの、被写体側寄りの第３間隔環１２３および第４レンズ１１４は、筒部２３３における内壁２３１に囲まれた内部に周回方向全周にわたって保持されている。また、レンズ保持部材２３０の矢印Ａ方向全長は、重ねて配置された４つのレンズ１１１，１１２，１１３，１１４および３つの間隔環１２１，１２２，１２３の厚みよりも短い。従って、図５に示すように、レンズ保持部材２３０の光軸方向である矢印Ａ方向前端２３５に隣接した位置に、レンズ保持部材２３０の矢印Ａ方向への伸縮を許容する隙間が形成されている。そのため、周囲の温度変化を受けてレンズ保持部材２３０が膨張したとしても、その隙間で吸収される。このようなレンズ保持部材２３０は、例えば２ｍｍ以下、好ましくは１ｍｍ以下の厚さを有する。このレンズ保持部材２３０が、本発明にいうレンズ保持部材の一例に相当するものである。
【００５７】
レンズ枠２４０は、４つのレンズ１１１，１１２，１１３，１１４および３つの間隔環１２１，１２２，１２３双方の硬度よりも高い硬度を有するセラミック製部材である。また、このレンズ枠２４０は、光軸方向である矢印Ａ方向両端に開口した中空形状であって、内面２４１と、外面２４２とを有する。また、このレンズ枠２４０は、４つのレンズ１１１，１１２，１１３，１１４のうちの最結像側に配備される第１レンズ１１１の結像側の面の周縁部分１１１１を押さえる結像側レンズ押さえ部２４３を有する。さらに、このレンズ枠２４０は、レンズ枠２４０内面２４１に、光軸方向である矢印Ａ方向に延び周回方向に交互に形成された、レンズ保持部材２３０の延在部２３４を収容する３本の凹溝２４１１と、３本の凹溝２４１１同士の間に形成された３本の突条２４１２とを有する。このようなレンズ枠２４０は、内面２４１に囲まれた内部にレンズ保持部材２３０を支持している。このレンズ枠２４０が、本発明にいうレンズ枠の一例に相当するものである。
【００５８】
このように構成されたレンズ鏡胴２００では、レンズ枠２４０内に収容された４つのレンズ１１１，１１２，１１３，１１４の、光軸方向である矢印Ａ方向の位置が、結像側レンズ押さえ部２４３、３つの間隔環１２１，１２２，１２３、および押さえ環１５０によって決められている。
【００５９】
また、このように構成されたレンズ鏡胴２００において、４つのレンズ１１１，１１２，１１３，１１４それぞれの外径とレンズ保持部材２３０の内壁２３１との間、およびレンズ保持部材２３０の外壁２３２とレンズ枠２４０の内面２４１との間は、レンズの軸ズレなどによる光学性能の低下を起さないよう、例えば５μｍ以上２０μｍ以下のクリアランス、好ましくは１０μｍ以下のクリアランスとなるように公差管理されている。また、４つのレンズ１１１，１１２，１１３，１１４それぞれの外径とレンズ枠２４０内面２４１の突条２４１２との間は、レンズ挿入時に接触しないよう、４つのレンズ１１１，１１２，１１３，１１４それぞれの外径とレンズ保持部材２３０の内壁２３１との間のクリアランスよりも大きいクリアランスが設けられている。ただし、このクリアランスは、レンズの軸ズレなどによる光学性能の低下を起さない限度に、例えば３０μｍ以下、好ましくは１５μｍ以下に設定されている。
【００６０】
第２実施形態のレンズ鏡胴２００は、レンズ枠２４０の内面２４１に囲まれた内部に支持された、内壁２３１に囲まれた内部に４つのレンズ１１１，１１２，１１３，１１４および３つの間隔環１２１，１２２，１２３を保持するレンズ保持部材２３０が、４つのレンズ１１１，１１２，１１３，１１４およびレンズ枠２４０双方の硬度よりも低い硬度を有する樹脂製部材である。従って、第２実施形態のレンズ鏡胴２００によれば、このレンズ鏡胴２００の組み立て時において、４つのレンズ１１１，１１２，１１３，１１４および３つの間隔環１２１，１２２，１２３とレンズ枠２４０とが擦れることがなく、両者が擦れて削れカスが発生することが回避される。このため、削れカスに起因して光学性能が悪化することが防止される。また、第２実施形態のレンズ鏡胴２００は、レンズ保持部材２３０が筒部２３３と３本の延在部２３４とを有し、４つのレンズ１１１，１１２，１１３，１１４および３つの間隔環１２１，１２２，１２３のうちの結像側寄りの第１レンズ１１１、第１間隔環１２１、第２レンズ１１２、第２間隔環１２２、および第３レンズ１１３は延在部２３４における内壁２３１に囲まれた内部に保持されたものであるため、レンズ鏡胴２００の組み立て時において、レンズ保持部材２３０の内壁２３１に囲まれた内部に４つのレンズ１１１，１１２，１１３，１１４および３つの間隔環１２１，１２２，１２３を保持させたり、レンズ枠２４０内にレンズ保持部材２３０を挿入したりするときの作業性に優れる。また、第２実施形態のレンズ鏡胴２００は、レンズ枠２４０が内面２４１に３本の凹溝２４１１と３本の突条２４１２とを有するものであるため、４つのレンズ１１１，１１２，１１３，１１４および３つの間隔環１２１，１２２，１２３が確実に保持される。尚、レンズ鏡胴２００の組立方法については後述する。
【００６１】
以上で、本発明のレンズ鏡胴の第２実施形態の説明を終了し、本発明のレンズ鏡胴の第３実施形態について説明する。
【００６２】
尚、以下説明する第３実施形態は、レンズ保持部材が上述した第１実施形態とは異なる。
【００６３】
以下、第１実施形態における要素と同じ要素については同じ符号を付して説明を省略し、第１実施形態との相違点についてのみ説明する。
【００６４】
図７は、本発明のレンズ鏡胴の第３実施形態であるレンズ鏡胴３００の光軸方向と平行な縦断面図である。
【００６５】
図７に示すように、第３実施形態のレンズ鏡胴３００は、４つのレンズ１１１，１１２，１１３，１１４と、３つの間隔環１２１，１２２，１２３と、レンズ保持部材３３０と、レンズ枠１４０と、押さえ環１５０とを備えている。
【００６６】
レンズ保持部材３３０は、４つのレンズ１１１，１１２，１１３，１１４およびレンズ枠１４０双方の硬度よりも低い硬度を有する樹脂製部材である。また、このレンズ保持部材３３０は、円筒状であり、光軸方向である矢印Ａ方向両端に開口して内壁１３１と外壁１３２とを有する。さらに、このレンズ保持部材３３０は、４つのレンズ１１１，１１２，１１３，１１４のうちの最被写体側に配備される第４レンズ１１４の被写体側の面の周縁部分１１４１を覆う被写体側レンズ覆い部３３３を有する。また、レンズ保持部材３３０の矢印Ａ方向全長は、重ねて配置された４つのレンズ１１１，１１２，１１３，１１４および３つの間隔環１２１，１２２，１２３の厚みよりも短い。従って、レンズ保持部材３３０の光軸方向である矢印Ａ方向後端３３４に隣接した位置に、レンズ保持部材３３０の矢印Ａ方向への伸縮を許容する隙間が形成されている。そのため、周囲の温度変化を受けてレンズ保持部材３３０が膨張したとしても、その隙間で吸収される。このようなレンズ保持部材３３０は、例えば２ｍｍ以下、好ましくは１ｍｍ以下の厚さを有する。このレンズ保持部材３３０が、本発明にいうレンズ保持部材の一例に相当するものである。
【００６７】
押さえ環１５０は、例えばレンズ枠１４０と同じ材質であるセラミック製部材であり、概略筒状であり、一方の開口端は筒の中央に向かって張り出した形状を有している。また、この押さえ環１５０は、レンズ枠１４０に支持されている。より詳細には、押さえ環１５０はレンズ枠１４０の被写体側の端に被さり、レンズ枠１４０に固定されている。尚、押さえ環１５０のレンズ枠１４０への固定は、上述したように、接着固定であってもよく、あるいは、押さえ環１５０の内周およびレンズ枠１４０の外面１４２にねじ山を設けてなるねじ止め固定であってもよい。また、この押さえ環１５０は、レンズ枠１４０に支持されたレンズ保持部材１３０に保持された４つのレンズ１１１，１１２，１１３，１１４のうちの最被写体側に配備される第４レンズ１１４の被写体側の面の周縁部分１１４１を、レンズ保持部材３３０の被写体側レンズ覆い部３３３を介在させた状態で押さえている。この押さえ環１５０が、本発明にいう押さえ環の一例に相当するものである。
【００６８】
このように構成されたレンズ鏡胴３００では、レンズ枠１４０内に収容された４つのレンズ１１１，１１２，１１３，１１４の、光軸方向である矢印Ａ方向の位置が、結像側レンズ押さえ部１４３、３つの間隔環１２１，１２２，１２３、および押さえ環１５０によって決められている。
【００６９】
また、このように構成されたレンズ鏡胴３００において、４つのレンズ１１１，１１２，１１３，１１４それぞれの外径とレンズ保持部材３３０の内壁１３１との間、およびレンズ保持部材３３０の外壁１３２とレンズ枠１４０の内面１４１との間は、レンズの軸ズレなどによる光学性能の低下を起さないよう、例えば５μｍ以上２０μｍ以下のクリアランス、好ましくは１０μｍ以下のクリアランスとなるように公差管理されている。
【００７０】
第３実施形態のレンズ鏡胴３００は、上述した第１実施形態のレンズ鏡胴１００と同様に、レンズ枠１４０の内面１４１に囲まれた内部に支持された、内壁１３１に囲まれた内部に、４つのレンズ１１１，１１２，１１３，１１４および３つの間隔環１２１，１２２，１２３を周回方向全周にわたって保持するレンズ保持部材３３０が、４つのレンズ１１１，１１２，１１３，１１４およびレンズ枠１４０双方の硬度よりも低い硬度を有する樹脂製部材である。従って、第３実施形態のレンズ鏡胴３００によっても、このレンズ鏡胴３００の組み立て時において、４つのレンズ１１１，１１２，１１３，１１４および３つの間隔環１２１，１２２，１２３とレンズ枠１４０とが擦れることがなく、両者が擦れて削れカスが発生することが回避される。このため、削れカスに起因して光学性能が悪化することが防止される。また、第３実施形態のレンズ鏡胴３００は、レンズ保持部材３３０が第４レンズ１１４の被写体側の面の周縁部分１１４１を覆う被写体側レンズ覆い部３３３を有しており、押さえ環１５０が、被写体側レンズ覆い部３３３を介在させた状態でその周縁部分１１４１を押さえるものである。従って、第３実施形態のレンズ鏡胴３００によれば、特に、押さえ環１５０のレンズ枠１４０への固定がねじ止め固定である場合には、このレンズ鏡胴３００の組み立て時において、押さえ環１５０をレンズ枠１４０に取り付けるときに第４レンズ１１４が供回りして隣接する間隔環１２３と擦れて傷付くことが防止される。尚、レンズ鏡胴３００の組立方法については後述する。
【００７１】
以上で、本発明のレンズ鏡胴の第３実施形態の説明を終了し、本発明のレンズ鏡胴組立方法の第１実施形態について説明する。
【００７２】
以下説明する第１実施形態は、図１〜図３を参照して説明したレンズ鏡胴１００の組立方法である。尚、この組立方法は、図４〜図６を参照して説明したレンズ鏡胴２００の組立方法としても適用できるが、ここでは、レンズ鏡胴１００の組立方法について説明する。
【００７３】
以下、そのレンズ鏡胴１００の構成要素それぞれについては同じ符号を付して説明を省略し、レンズ鏡胴１００（図１〜図３参照）の組立方法についてのみ説明する。
【００７４】
まず、レンズ枠１４０内にレンズ保持部材１３０を挿入する。
【００７５】
次に、レンズ枠１４０内に挿入された状態のレンズ保持部材１３０の内壁１３１に囲まれた内部に、４つのレンズ１１１，１１２，１１３，１１４および３つの間隔環１２１，１２２，１２３を周回方向全周にわたって保持させる。
【００７６】
最後に、押さえ環１５０をレンズ枠１４０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠１４０の結像側レンズ押さえ部１４３と押さえ環１５０との間に挟み付けられ、レンズ枠１４０内で固定される。
【００７７】
上述したように、レンズ保持部材１３０は、４つのレンズ１１１，１１２，１１３，１１４およびレンズ枠１４０双方の硬度よりも低い硬度を有する樹脂製部材であるため、第１実施形態のレンズ鏡胴組立方法によれば、４つのレンズ１１１，１１２，１１３，１１４および３つの間隔環１２１，１２２，１２３とレンズ枠１４０とが擦れることがなく、両者が擦れて削れカスが発生することが回避される。このため、組み立てられたレンズ鏡胴１００において、削れカスに起因して光学性能が悪化することが防止される。
【００７８】
以上で、本発明のレンズ鏡胴組立方法の第１実施形態の説明を終了し、本発明のレンズ鏡胴組立方法の第２実施形態について説明する。
【００７９】
以下説明する第２実施形態は、図４〜図６を参照して説明したレンズ鏡胴２００の組立方法である。尚、この組立方法は、図１〜図３を参照して説明したレンズ鏡胴１００の組立方法としても適用できるが、ここでは、レンズ鏡胴２００の組立方法について説明する。
【００８０】
以下、そのレンズ鏡胴２００の構成要素それぞれについては同じ符号を付して説明を省略し、レンズ鏡胴２００（図４〜図６参照）の組立方法についてのみ説明する。
【００８１】
まず、レンズ保持部材２３０の延在部２３４における内壁２３１に囲まれた内部に、４つのレンズ１１１，１１２，１１３，１１４および３つの間隔環１２１，１２２，１２３のうちの、結像側寄りの第１レンズ１１１、第１間隔環１２１、第２レンズ１１２、第２間隔環１２２、および第３レンズ１１３を保持させる。また、レンズ保持部材２３０の筒部２３３における内壁２３１に囲まれた内部に、４つのレンズ１１１，１１２，１１３，１１４および３つの間隔環１２１，１２２，１２３のうちの、被写体側寄りの第３間隔環１２３および第４レンズ１１４を周回方向全周にわたって保持させる。
【００８２】
次に、レンズ枠２４０内に、４つのレンズ１１１，１１２，１１３，１１４および３つの間隔環１２１，１２２，１２３を保持させた状態のレンズ保持部材２３０を挿入する。
【００８３】
最後に、押さえ環１５０をレンズ枠２４０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠２４０の結像側レンズ押さえ部２４３と押さえ環１５０との間に挟み付けられ、レンズ枠２４０内で固定される。
【００８４】
上述したように、レンズ保持部材２３０は、４つのレンズ１１１，１１２，１１３，１１４およびレンズ枠２４０双方の硬度よりも低い硬度を有する樹脂製部材であるため、第２実施形態のレンズ鏡胴組立方法によれば、４つのレンズ１１１，１１２，１１３，１１４および３つの間隔環１２１，１２２，１２３とレンズ枠２４０とが擦れることがなく、両者が擦れて削れカスが発生することが回避される。このため、組み立てられたレンズ鏡胴２００において、削れカスに起因して光学性能が悪化することが防止される。
【００８５】
また、第２実施形態のレンズ鏡胴組立方法は、４つのレンズ１１１，１１２，１１３，１１４および３つの間隔環１２１，１２２，１２３を保持させた状態のレンズ保持部材２３０をレンズ枠２４０内に挿入する組立方法であるため、組立性に優れるとともに、傾いた姿勢でレンズが挿入されることによる擦れが回避される。さらに、第２実施形態のレンズ鏡胴組立方法によれば、４つのレンズ１１１，１１２，１１３，１１４および３つの間隔環１２１，１２２，１２３をレンズ保持部材２３０に保持させた状態で光学性能を確認することもできる。この場合、レンズ保持部材２３０をレンズ枠２４０内に挿入した状態でレンズの位置を調整する煩雑さが回避される。
【００８６】
また、第２実施形態のレンズ鏡胴組立方法は、４つのレンズ１１１，１１２，１１３，１１４および３つの間隔環１２１，１２２，１２３のうちの結像側寄りの第１レンズ１１１、第１間隔環１２１、第２レンズ１１２、第２間隔環１２２、および第３レンズ１１３は延在部２３４における内壁２３１に囲まれた内部に保持させるため、レンズ保持部材２３０の内壁２３１に囲まれた内部に４つのレンズ１１１，１１２，１１３，１１４および３つの間隔環１２１，１２２，１２３を保持させたり、レンズ枠２４０内にレンズ保持部材２３０を挿入したりするときの作業性に優れる。
【００８７】
以上で、本発明のレンズ鏡胴組立方法の第２実施形態の説明を終了し、本発明のレンズ鏡胴組立方法の第３実施形態について説明する。
【００８８】
以下説明する第３実施形態は、図７を参照して説明したレンズ鏡胴３００の組立方法である。
【００８９】
以下、そのレンズ鏡胴３００の構成要素それぞれについては同じ符号を付して説明を省略し、レンズ鏡胴３００（図７参照）の組立方法についてのみ説明する。
【００９０】
まず、レンズ保持部材３３０の内壁１３１に囲まれた内部に、４つのレンズ１１１，１１２，１１３，１１４および３つの間隔環１２１，１２２，１２３を周回方向全周にわたって保持させる。
【００９１】
次に、レンズ枠１４０内に、４つのレンズ１１１，１１２，１１３，１１４および３つの間隔環１２１，１２２，１２３を保持させた状態のレンズ保持部材３３０を挿入する。
【００９２】
最後に、押さえ環１５０をレンズ枠１４０に取り付け、４つのレンズ１１１，１１２，１１３，１１４のうちの最被写体側に配備される第４レンズ１１４の被写体側の面の周縁部分１１４１を、レンズ保持部材３３０の被写体側レンズ覆い部３３３を介在させた状態で押さえる。
【００９３】
上述したように、レンズ保持部材３３０は、４つのレンズ１１１，１１２，１１３，１１４およびレンズ枠１４０双方の硬度よりも低い硬度を有する樹脂製部材であるため、第３実施形態のレンズ鏡胴組立方法によれば、４つのレンズ１１１，１１２，１１３，１１４および３つの間隔環１２１，１２２，１２３とレンズ枠１４０とが擦れることがなく、両者が擦れて削れカスが発生することが回避される。このため、組み立てられたレンズ鏡胴３００において、削れカスに起因して光学性能が悪化することが防止される。また、上述したように、押さえ環１５０のレンズ枠１４０への固定は、接着固定であってもよく、あるいは、押さえ環１５０の内周およびレンズ枠１４０の外面１４２にねじ山を設けてなるねじ止め固定であってもよいが、特に、押さえ環１５０のレンズ枠１４０への固定がねじ止め固定である場合に、押さえ環１５０をレンズ枠１４０に取り付けるときに第４レンズ１１４が供回りして隣接する間隔環１２３と擦れて傷付くことが防止される。より詳細には、レンズ保持部材３３０の外壁１３２とレンズ枠１４０の内面１４１との接触面積の方が、レンズ保持部材３３０の被写体側レンズ覆い部３３３と押さえ環１５０との接触面積より大きいため、押さえ環１５０の内面がレンズ保持部材３３０の被写体側レンズ覆い部３３３前面と接する際に、レンズ保持部材３３０が押さえ環１５０と供回りすることがない。従って、その際に、第４レンズ１１４が押さえ環１５０と供回りすることがない。
【００９４】
さらに、第３実施形態のレンズ鏡胴組立方法は、４つのレンズ１１１，１１２，１１３，１１４および３つの間隔環１２１，１２２，１２３を保持させた状態のレンズ保持部材３３０をレンズ枠１４０内に挿入する組立方法であるため、組立性に優れるとともに、傾いた姿勢でレンズが挿入されることによる擦れが回避される。また、第３実施形態のレンズ鏡胴組立方法によれば、４つのレンズ１１１，１１２，１１３，１１４および３つの間隔環１２１，１２２，１２３をレンズ保持部材３３０に保持させた状態で光学性能を確認することもできる。この場合、レンズ保持部材３３０をレンズ枠１４０内に挿入した状態でレンズの位置を調整する煩雑さが回避される。
【００９５】
以上で、本発明のレンズ鏡胴組立方法の第３実施形態の説明を終了する。
【００９６】
尚、上述した実施形態では、本発明にいう複数のレンズが、４つのレンズである例を挙げて説明したが、本発明にいう複数のレンズは、これに限られるものではない。
【００９７】
また、上述した実施形態では、本発明にいうレンズ保持部材が、樹脂製部材である例を挙げて説明したが、本発明にいうレンズ保持部材は、これに限られるものではなく、レンズおよびレンズ枠双方の硬度よりも低い硬度を有する部材であればよく、例えば、銅、アルミニウムや真鍮などといった金属製部材であってもよい。
【００９８】
また、上述した実施形態では、本発明にいう延在部が、３本である例を挙げて説明したが、本発明にいう延在部は、これに限られるものではなく、少なくとも３本であればよい。
【００９９】
また、上述した実施形態では、本発明における光軸方向前端側および後端側を、それぞれ被写体側および結像側とした例で説明したが、本発明はこれに限られるものでなく、結像側が本発明における前端側であり被写体側が本発明における後端側であってもよい。
【符号の説明】
【０１００】
１００，２００，３００    レンズ鏡胴
１１１    第１レンズ
１１１１    周縁部分
１１２    第２レンズ
１１３    第３レンズ
１１４    第４レンズ
１１４１    周縁部分
１２１    第１間隔環
１２２    第２間隔環
１２３    第３間隔環
１３０，２３０，３３０    レンズ保持部材
１３１，２３１    内壁
１３２，２３２    外壁
１３３，２３５    前端
２３３    筒部
２３４    延在部
３３３    被写体側レンズ覆い部
３３４    後端
１４０，２４０    レンズ枠
１４１，２４１    内面
２４１１    凹溝
２４１２    突条
１４２，２４２    外面
１４３，２４３    結像側レンズ押さえ部
１５０    押さえ環
【図１】
2012002947.tif 000003
【図２】
2012002947.tif 000004
【図３】
2012002947.tif 000005
【図４】
2012002947.tif 000006
【図５】
2012002947.tif 000007
【図６】
2012002947.tif 000008
【図７】
2012002947.tif 000009